(57)【要約】【課題】パックを確実に保持して、輸送時におけるいちごの傷みを防止でき、組み立ても容易なパック収納用トレーを提供する。【解決手段】側壁１２を二重構造として、その内側板１６から延びる折込片２１同士を継手部２１ａにより噛み合わせ、外側板１４から延びる折込片２２と内側板１６から延びる折込片２１とを、一方の係合穴２１ｂに他方の係合片２２ａを押し込んで係合させ、折込片２１，２２を二重構造の端壁１３で抱き込んでトレー本体１を保形し、端壁１３の内面をなす内端板１９の下縁から延出した支持片２６を内側斜め上方へ折り返し、対向する側壁１２間に亘る仕切壁３に設けた一対の支持片３２を上部の間隔が開くように折り曲げ、端壁１３及び仕切壁３の支持片２６，３２にパックＰのフランジを載せると、パックＰが宙吊り状態で支持されるようにする。【選択図】図４
2006008164.tif 000002
【特許請求の範囲】
【請求項１】
底壁の周囲に各一対の側壁及び端壁を連設し、側壁の両側から延びる折込片を二重構造の端壁で抱き込んでトレー本体を保形し、その内部に十字状の仕切壁をセットして、各区画にパックを収納する段ボール製のパック収納用トレーにおいて、対向する二重構造の側壁から延びる折込片を継手部により噛み合わせ、側壁の両面から延びる折込片を係合穴に係合片を押し込んで係合させ、端壁の内面をなす内端板の下縁から延出した支持片を内側斜め上方へ折り返し、対向する側壁間に亘る仕切壁に設けた一対の支持片を上部の間隔が開くように折り曲げ、端壁及び仕切壁の支持片にパックのフランジを載せると、パックが宙吊り状態で支持されるようにしたことを特徴とするパック収納用トレー。
【請求項２】
請求項１に記載のパック収納用トレーにおいて、対向する側壁間に亘る仕切壁の両端部を、側壁の内側板に設けたＶ字状の差込穴に差し込み、仕切壁が側壁に固定されるようにしたことを特徴とするパック収納用トレー。
【発明の詳細な説明】
【技術分野】
【０００１】
この発明は、いちごパック等の運搬に使用する段ボール製トレーに関するものである。
【背景技術】
【０００２】
一般に、いちごパックを運搬する際には、図６に示すように、トレー本体５１の内部に切溝で噛み合う十字状の仕切壁５２，５３をセットし、仕切壁５２，５３で形成された各区画にパックＰを収納する段ボール製のトレーを使用する。
【０００３】
このトレー本体５１は、底壁５４の周囲に各一対の側壁５５及び端壁５６を連設し、側壁５５の両側から延びる折込片５７を二重構造の端壁５６で抱き込むことにより保形するものである。
【発明の開示】
【発明が解決しようとする課題】
【０００４】
しかしながら、上記のようなトレーでは、パックＰを底壁５４上に直接置くため、輸送時の衝撃が緩和されることなくパックＰのいちごに作用し、いちごが傷みやすいという問題があった。
【０００５】
また、組み立てに際し、両側壁５５を起立状態に支えつつ、対向する折込片５７を内側に折り曲げ、その状態を維持しておかなければ、折込片５７を端壁５６で抱き込むことができず、組み立てにくいという問題もあった。
【０００６】
そこで、この発明は、パックを確実に保持して、輸送時におけるいちごの傷みを防止でき、組み立ても容易なパック収納用トレーを提供することを課題とする。
【課題を解決するための手段】
【０００７】
上記課題を解決するため、この発明は、底壁の周囲に各一対の側壁及び端壁を連設し、側壁の両側から延びる折込片を二重構造の端壁で抱き込んでトレー本体を保形し、その内部に十字状の仕切壁をセットして、各区画にパックを収納する段ボール製のパック収納用トレーにおいて、対向する二重構造の側壁から延びる折込片を継手部により噛み合わせ、側壁の両面から延びる折込片を係合穴に係合片を押し込んで係合させ、端壁の内面をなす内端板の下縁から延出した支持片を内側斜め上方へ折り返し、対向する側壁間に亘る仕切壁に設けた一対の支持片を上部の間隔が開くように折り曲げ、端壁及び仕切壁の支持片にパックのフランジを載せると、パックが宙吊り状態で支持されるようにしたのである。
【０００８】
また、上記パック収納用トレーにおいて、対向する側壁間に亘る仕切壁の両端部を、側壁の内側板に設けたＶ字状の差込穴に差し込むことにより、仕切壁が側壁に固定されるようにしたのである。
【発明の効果】
【０００９】
この発明に係るトレーでは、折込片の噛合及び係合により、両側壁が起立状態に保持され、折込片の反発も防止されるので、組み立てやすくなり、使用状態においては、トレー本体の底壁とパックの底面との間に隙間ができ、パックが確実に宙吊り状態で支持され、輸送中の衝撃が緩和されて、パックに詰められたいちごの傷みが防止される。
【００１０】
また、仕切壁の両端部を、側壁及び端壁の差込穴に差し込んで、仕切壁を側壁に固定すると、仕切壁が安定するので、パックの移動を確実に阻止できる。
【発明を実施するための最良の形態】
【００１１】
以下、この発明の実施の形態を添付図面に基づいて説明する。このトレーは、いちごパックを４個収納するものであり、図１に示すように、段ボールシートを打ち抜いたトレー本体１及び仕切壁２，３のブランクから構成される。
【００１２】
トレー本体１のブランクでは、底壁１１の長辺に側壁１２が、短辺に端壁１３がそれぞれ連設され、側壁１２は、底壁１１から外側板１４、頂板１５及び内側板１６を順次連設し、端壁１３は、底壁１１から外端板１７、頂板１８及び内端板１９を順次連設したものとされている。内端板１９の先端縁には支持片２６が連設され、その基端側には、内端板１９への切込により脚部２６ａが設けられている。
【００１３】
内側板１６の両端縁には折込片２１が、外側板１４の両端縁には折込片２２がそれぞれ連設され、折込片２１の先端部には継手部２１ａが設けられている。折込片２２の中間部には、先広がりの係合片２２ａが切込により形成され、折込片２１の中間部には、方形状の係合穴２１ｂが設けられている。
【００１４】
外端板１７の先端両側部には角桟板１８ａが、その外側縁には差込片１８ｂがそれぞれ連設され、頂板１５の両端部には差込穴１５ａが設けられている。内側板１６の両端部には、斜縁を備えた係止穴１６ａが設けられている。
【００１５】
また、内側板１６の中央部には、仕切壁３の両端部が差し込まれるＶ字状の差込穴１６ｂが設けられ、頂板１８の中央部から内端板１９にかけては、仕切壁２の両端部が差し込まれるスリット状の差込穴１８ｃが設けられている。
【００１６】
一方、仕切壁２のブランクでは、仕切壁３と噛み合わせるため、一方の長辺中央部にＹ字状の切溝２ａが形成され、他方の長辺両端部には、トレー本体１の差込穴１８ｃに差し込まれる差込突部２ｂが設けられている。
【００１７】
また、仕切壁３のブランクでは、一対の支持片３２が連設され、その連設部には交互の切込により脚部３２ａが形成されている。各支持片３２の両端部には、トレー本体１の差込穴１６ｂに差し込まれる差込突部３２ｂが設けられ、支持片３２の長辺中央部には、仕切壁２と噛み合わせるため、切溝３ａが形成されている。
【００１８】
上記のようなブランクからトレーを組み立てるには、図２に示すように、まず、トレー本体１の底壁１１から外側板１４を起こし、頂板１５を内側へ、内側板１６を下方へ折り曲げて、二重構造の側壁１２を形成し、折込片２１，２２を内側へ折り曲げて、これらを重ね合わせる。
【００１９】
次に、対向する側壁１２から延びる折込片２１同士を、継手部２１ａにより噛み合わせると共に、重ね合わせた折込片２１，２２を、係合穴２１ｂに係合片２２ａを押し込んで係合させる。これにより、両側壁１２が起立状態に保持され、折込片２１，２２の反発も防止されるので、以後の組立作業が容易になる。
【００２０】
続いて、底壁１１から外端板１７を起こし、頂板１８を内側へ、内端板１９を下方へ折り曲げ、二重構造の端壁１３を形成して、折込片２１，２２を抱き込み、支持片２６を内側斜め上方へ折り返して、その両側部を係止穴１６ａに差し込むと、支持片２６は、係止穴１６ａの斜縁により所定角度傾斜した状態で固定される。
【００２１】
その後、角桟板１８ａを内側へ折り曲げ、差込片１８ｂを下方へ折り曲げて差込穴１５ａに差し込み、側壁１２と端壁１３とを連結する。この角桟板１８ａにより、トレーを段積みした場合における安定性が向上する。
【００２２】
そして、図３に示すように、仕切壁３の一対の支持片３２を、上部の間隔が広がるように折り曲げて、その切溝３ａと仕切壁２の切溝２ａとを相互に噛み合わせ、図４に示すように、仕切壁２，３をトレー本体１にセットして、トレー本体１の内部を区画する。
【００２３】
このとき、仕切壁３の差込突部３２ｂを差込穴１６ｂに差し込むと共に、仕切壁２の差込突部２ｂを差込穴１８ｃに差し込むことにより、支持片３２は、切溝２ａ及び差込穴１６ｂの斜縁により所定角度傾斜した状態で固定され、仕切壁２との噛合部を中心とした仕切壁３の回動も防止される。
【００２４】
上記のようなトレーの各区画にいちごパックＰを収納する際には、図４及び図５に示すように、パックＰの短辺のフランジを、側壁１３の支持片２６と仕切壁３の支持片３２とに載せる。これにより、パックＰは、宙吊り状態で支持され、トレー本体１の底壁１１とパックＰの底面との間に隙間ができる。
【００２５】
このように、トレー本体１の底壁１１とパックＰの底面との間に隙間ができると、輸送中の衝撃が緩和されるので、パックＰに詰められたいちごの潰れが防止され、潰れた部分からの腐敗が防止される。
【００２６】
また、折込片２１同士の噛合及び折込片２１，２２の係合により、組立状態の寸法精度が向上し、端壁１３の支持片２６が安定すると共に、仕切壁３を側壁１２へ固定したことにより、支持片３２も安定して、パックＰの支持片２６，３２からの脱落が防止され、トレー内におけるパックＰの移動も阻止される。
【００２７】
さらに、トレー本体１が強度に優れたものとなり、いちごパックＰを収納して荷重が作用した状態で、一方の側壁１２又は端壁１３のみを把持して持ち上げても、トレー本体１が大きく撓むことがない。
【図面の簡単な説明】
【００２８】
【図１】この発明の実施形態に係るトレーのブランクを示す図
【図２】同上のトレー本体の組立過程を示す斜視図
【図３】同上の仕切壁の組込過程を示す分解斜視図
【図４】同上のトレーの使用状態を示す斜視図
【図５】同上の縦断正面図
【図６】従来のパック収納用トレーを示す斜視図
【符号の説明】
【００２９】
１  トレー本体
２，３  仕切壁
１１  底壁
１２  側壁
１３  端壁
１４  外側板
１５  頂板
１６  内側板
１６ｂ  差込穴
１７  外端板
１８  頂板
１９  内端板
２１，２２  折込片
２１ａ  継手部
２１ｂ  係合穴
２２ａ  係合片
２６，３２  支持片
Ｐ  パック
【図１】
2006008164.tif 000003
【図２】
2006008164.tif 000004
【図３】
2006008164.tif 000005
【図４】
2006008164.tif 000006
【図５】
2006008164.tif 000007
【図６】
2006008164.tif 000008